(57)【特許請求の範囲】
【請求項１】
文字と図柄との少なくともいずれかを表示する表示板と、
前記表示板が取り付けられた前面と、開口部が設けられた下面とを有する本体と、
前記本体内に収納され、点灯することにより前記表示板を照らす第１光源と、
前記第１光源に電力を供給して前記第１光源を点灯させる電源部と、
前記電源部の状態表示用のモニタランプと前記電源部の点検用のスイッチとの少なくともいずれかであり、前記開口部から露出するように前記本体内に収納された電源管理部と、
前記本体内に収納され、点灯することにより前記開口部から下方の一定範囲を照らす第２光源と、
前記電源管理部と前記第２光源とを収容し、端部から前記電源管理部と前記第２光源とが露出するケースであって、前記端部が前記開口部に嵌るように前記本体内に収納されるケースと
を備えることを特徴とする表示装置。
【請求項２】
前記電源管理部は、前記モニタランプであり、
前記表示装置は、前記モニタランプが点灯又は点滅する場合、前記第２光源を減光又は消灯させる制御部を備えることを特徴とする請求項１の表示装置。
【請求項３】
前記電源管理部は、前記モニタランプと前記スイッチとからなり、
前記スイッチは、前記モニタランプと前記第２光源との間に配置されることを特徴とする請求項１又は２の表示装置。
【請求項４】
前記ケースは、前記電源管理部と前記第２光源とのうち前記電源管理部のみを収容し、少なくとも端部が同形状のケースと交換可能であることを特徴とする請求項１から３のいずれかの表示装置。
【請求項５】
前記電源管理部と前記第２光源とは、同一の基板に実装されることを特徴とする請求項１から４のいずれかの表示装置。
【請求項６】
文字と図柄との少なくともいずれかを表示する表示板と、
前記表示板が取り付けられた前面と、開口部が設けられた下面とを有する本体と、
前記本体内に収納され、点灯することにより前記表示板を照らす第１光源と、
前記第１光源に電力を供給して前記第１光源を点灯させる電源部と、
前記電源部の状態表示用のモニタランプと前記電源部の点検用のスイッチとの少なくともいずれかであり、前記開口部から露出するように前記本体内に収納された電源管理部と、
前記本体内に収納され、点灯することにより前記開口部から下方の一定範囲を照らす第２光源と
を備え、
前記電源管理部と前記第２光源とは、同一の基板に実装されることを特徴とする表示装置。
【発明の詳細な説明】
【技術分野】
【０００１】
本発明は、表示装置に関するものである。本発明は、特に、下方照射機能を有する表示装置に関するものである。
【背景技術】
【０００２】
蛍光灯を用いた誘導灯において、表示面と器具下面に透光窓を設け、器具下部を照射する機能を有した誘導灯がある。また、点検機能を有する誘導灯において、点検用スイッチと、点検結果表示用モニタを器具外部を臨むように設置し、器具外郭にそれぞれに対応した孔部を設けた誘導灯がある（例えば、特許文献１及び２参照）。
【先行技術文献】
【特許文献】
【０００３】
【特許文献１】特開２００５−２８５４０７号公報
【特許文献２】特開２００７−１２３１４３号公報
【発明の概要】
【発明が解決しようとする課題】
【０００４】
特許文献１の誘導灯では、点検スイッチと信号受信部と点検結果報知部が外部を臨むように設置され器具外郭にそれぞれに対応する孔が設けられている。また、点検スイッチと信号受信部が共通の筐体に収められ、器具筐体内に設置されている。しかしながら、このの誘導灯では、本体外郭にそれぞれの部品に対応した孔を設けている、あるいは、本体内に各部品を収納した筐体を配置しているといった構成となっているため、筐体に収納した部品の構成が変更された場合、本体外郭に設けられている孔についても変更する必要がある。
【０００５】
特許文献２の誘導灯では、光源を点灯させるための点灯ブロックに、点検スイッチ、点検結果報知部を搭載し、器具外郭には各部品に対応した孔を設けてある。この誘導灯においても、点灯ブロックに搭載された部品が変更された場合に、器具外郭に設けられた孔についても変更の必要がある。
【０００６】
つまり、特許文献１及び２の誘導灯では、器具本体外郭に、それぞれ搭載される部品に応じて孔を設けていたため、モニタランプの数や、点検スイッチの数を変更する場合は、本体も変更しなければならず、その結果、本体の種類が多くなってしまうという課題があった。
【０００７】
また、従来の蛍光灯を使用した横長となっている表示面を有する誘導灯においては、表示面を照射するための蛍光灯の光を利用するために、器具下面に透光窓を有しているものがある。しかし、この誘導灯では、表示面を照射する光源と器具下側を照射する光源が同一となっているため、表示面と器具下面とで別々の照明動作を実施することが不可能であった。
【０００８】
本発明は、例えば、表示装置において、表示板を照らす光源とは別の光源で表示装置の下方の一定範囲を照らすことを目的とする。
【課題を解決するための手段】
【０００９】
本発明の一の態様に係る表示装置は、
文字と図柄との少なくともいずれかを表示する表示板と、
前記表示板が取り付けられた前面と、開口部が設けられた下面とを有する本体と、
前記本体内に収納され、点灯することにより前記表示板を照らす第１光源と、
前記第１光源に電力を供給して前記第１光源を点灯させる電源部と、
前記電源部の状態表示用のモニタランプと前記電源部の点検用のスイッチとの少なくともいずれかであり、前記開口部から露出するように前記本体内に収納された電源管理部と、
前記本体内に収納され、点灯することにより前記開口部から下方の一定範囲を照らす第２光源とを備える。
【発明の効果】
【００１０】
本発明の一の態様によれば、表示装置において、表示板を照らす光源とは別の光源で表示装置の下方の一定範囲を照らすことが可能となる。
【図面の簡単な説明】
【００１１】
【図１】実施の形態１に係る表示装置の上面図、正面図及び側面図。
【図２】実施の形態１に係る表示装置が本体の中に有する発光部の構造を示す正面図及び側面図。
【図３】実施の形態１に係る表示装置の本体の内部構造を示す正面図。
【図４】実施の形態１に係る表示装置の下面図。
【図５】実施の形態１に係る表示装置の点検スイッチ・下部照射用光源収納部の内部構造を示す図。
【図６】実施の形態１に係る表示装置の部品間の接続を示す図。
【図７】実施の形態２に係る表示装置の下面図。
【図８】実施の形態３に係る表示装置の下面図。
【図９】実施の形態４に係る表示装置の点検スイッチ・下部照射用光源収納部の内部構造を示す図。
【図１０】実施の形態５に係る表示装置の本体の内部を示す図。
【発明を実施するための形態】
【００１２】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１３】
実施の形態１．
図１は、本実施の形態に係る表示装置１０の上面図、正面図及び側面図である。図２は、表示装置１０が本体１１の中に有する発光部の構造を示す正面図及び側面図である。
【００１４】
表示装置１０は、本体１１、光源保持部１２、表示部１３（表示板）、枠１４を備えている。
【００１５】
本体１１の上面には、電源穴１５と２つの取付穴１６とが設けられている。電源穴１５は、表示装置１０を天井に取り付けた場合に、外部の商用電源に接続する電線を本体１１の内部に引き込むための穴である。取付穴１６は、表示装置１０を天井にネジ等により取り付けるための穴である。本体１１の前面には、表示部１３が取り付けられ、枠１４により固定されている。
【００１６】
光源保持部１２は、本体１１の前面側から本体１１に取り付けられている。光源保持部１２には、ＬＥＤ基板１７と、ＬＥＤ基板１７に実装される７個のＬＥＤ１８とが内蔵されている。ＬＥＤ１８は、本体１１の内部に収納され、点灯することにより表示部１３を照らす第１光源の例である。なお、ＬＥＤ１８の数や配置等は適宜変更してよい。また、ＬＥＤ１８の代わりに有機ＥＬやその他の種類の光源を第１光源として用いてもよい。
【００１７】
表示部１３で覆われている本体１１の内側には、導光板１９が収納されている。導光板１９の一端側には、ＬＥＤ基板１７に実装されたＬＥＤ１８が接している。ＬＥＤ１８から発せられた光は導光板１９に入射し、導光板１９によって面状光に変換される。導光板１９は、ＰＭＭＡ（ポリメタクリル酸メチル樹脂）やＰＣ（ポリカーボネート）等の透明な樹脂で構成されており、発光面もしくは発光面の対向面に光拡散手段（ドットパターン、プリズム加工、ブラスト加工等）が設けてある。なお、光拡散手段を設けずに、拡散材を樹脂内部に有する構造としてもよい。
【００１８】
表示部１３は、ＬＥＤ１８（具体的には、導光板１９から出射される面状光）により照らされて、文字と図柄との少なくともいずれかを表示する。例えば、表示部１３として非常口や避難路等を文字や図柄で表示するものを採用すれば、表示装置１０を誘導灯として使用することができる。
【００１９】
図３は、表示装置１０の本体１１の内部構造を示す正面図である。
【００２０】
本体１１の後面には、電源穴２０と２つの取付穴２１とが設けられている。電源穴２０は、表示装置１０を壁面に取り付けた場合に、外部の商用電源に接続する電線を本体１１の内部に引き込むための穴である。取付穴２１は、表示装置１０を壁面にネジ等により取り付けるための穴である。
【００２１】
本体１１の内部には、電源端子台２２、バッテリ２３、点検スイッチ・下部照射用光源収納部２４、コントロールユニット２５が収納されている。
【００２２】
電源端子台２２は、電源穴１５，２０のいずれかから引き込まれた電線と接続し、外部の商用電源からの電力を、バッテリ２３やコントロールユニット２５に供給する。
【００２３】
バッテリ２３は、通常時は電源端子台２２を介して外部の商用電源により充電されるだけで、使用されないが、非常時（即ち、商用電源が断たれた場合）はコントロールユニット２５に電力を供給する。
【００２４】
点検スイッチ・下部照射用光源収納部２４、コントロールユニット２５については、後述する。
【００２５】
電源端子台２２、バッテリ２３、点検スイッチ・下部照射用光源収納部２４、コントロールユニット２５の組み合わせは、第１光源（ＬＥＤ１８）に電力を供給して第１光源を点灯させる電源部の例である。
【００２６】
図４は、表示装置１０の下面図である。図５は、表示装置１０の点検スイッチ・下部照射用光源収納部２４の内部構造を示す図である。図６は、表示装置１０の部品間の接続を示す図である。
【００２７】
本体１１の下面には、開口部２６が設けられている。
【００２８】
点検スイッチ・下部照射用光源収納部２４は、モニタランプ２７〜２９、点検スイッチ３０，３１、下部照射用光源３３を収容している。点検スイッチ・下部照射用光源収納部２４の端部からは、モニタランプ２７〜２９、点検スイッチ３０，３１、下部照射用光源３３が露出している（ここで「露出している」とは外部から視認できる状態にあることをいう）。そして、当該端部には、下部照射用光源３３を囲むように反射板３２が設けられている。点検スイッチ・下部照射用光源収納部２４は、当該端部が開口部２６に嵌るように本体１１の内部に収納される。即ち、点検スイッチ・下部照射用光源収納部２４は、モニタランプ２７〜２９、点検スイッチ３０，３１、反射板３２、下部照射用光源３３の全てが同じ開口部２６から外部を臨むように、本体１１の内部に取り付けられている。このため、点検スイッチ・下部照射用光源収納部２４に内蔵される部品が変更となった場合においても点検スイッチ・下部照射用光源収納部２４の下面部のみを変更することで対応することが可能となる。点検スイッチ・下部照射用光源収納部２４は、モニタランプ２７〜２９、点検スイッチ３０，３１、下部照射用光源３３を収容するケースの例である。
【００２９】
図５に示すように、点検スイッチ・下部照射用光源収納部２４には、点検スイッチ３０，３１、モニタランプ２７〜２９、下部照射用光源３３、反射板３２のほか、点検スイッチ・モニタランプ実装用基板３７と下部照射用光源実装用基板３８とが内蔵されている。点検スイッチ３０，３１は、それぞれスイッチ部３０ａ，３１ａと、スイッチ部３０ａ，３１ａを表示装置１０の外部より押すためのボタン部３０ｂ，３１ｂとからなる。点検スイッチ・モニタランプ実装用基板３７には、スイッチ部３０ａ，３１ａ及びモニタランプ２７〜２９が実装される。下部照射用光源実装用基板３８には、ＬＥＤである下部照射用光源３３が実装される。
【００３０】
点検スイッチ・下部照射用光源収納部２４は、モニタランプ２７〜２９、点検スイッチ３０，３１、下部照射用光源３３のうち、モニタランプ２７〜２９、点検スイッチ３０，３１のみを収容し、少なくとも端部が同形状のケースと交換可能である。このため、下部照射用光源３３を表示装置１０が有する場合と有さない場合とのいずれにおいても器具の外形を共通のものとして、点検スイッチ・下部照射用光源収納部２４のみ変更することで対応することが可能である。
【００３１】
下部照射用光源３３は、ＬＥＤである。下部照射用光源３３は、本体１１の内部に収納され、点灯することにより開口部２６から下方の一定範囲を照らす第２光源の例である。なお、下部照射用光源３３を構成するＬＥＤの数や配置等は適宜変更してよい。また、ＬＥＤの代わりに有機ＥＬやその他の種類の光源を第２光源として用いてもよい。また、下部照射用光源３３の点灯動作パターンについては種々の変更が可能であるが、これに関しては実施の形態６として後述する。
【００３２】
反射板３２は、下部照射用光源３３の配光制御を行う。
【００３３】
点検スイッチ３０，３１は、電源部（特にバッテリ２３）の点検用のスイッチ（ボタン）である。点検スイッチ３０は、手動による点検用、点検スイッチ３１は、自動での点検用となっている。自動による点検は、定められた時間、表示部１３用の光源であるＬＥＤ１８をバッテリ２３により点灯させることが可能であるかを、１回の点検スイッチ操作にて実現するものである。点検スイッチ３０，３１は、開口部２６から露出するように本体１１の内部に収納された電源管理部の例である。
【００３４】
表示装置１０に内蔵されるバッテリ２３は商用電源が断たれた場合のバックアップとして機能する必要がある。特に表示装置１０が消防法で定められている誘導灯の場合は、常に規定時間の動作が実施できるよう、適切に維持管理を実施する必要がある。本実施の形態によれば、バッテリ２３の容量を、点検スイッチ３０，３１を使用して手動もしくは自動で点検することができる。
【００３５】
モニタランプ２７〜２９は、電源部の状態表示用の（例えば、点検スイッチ３０，３１の操作による点検結果、ＬＥＤ１８や下部照射用光源３３の状態、バッテリ２３の接続状況等を色で示す）ＬＥＤである。モニタランプ２７〜２９は、開口部２６から露出するように本体１１の内部に収納された電源管理部の例である。なお、ＬＥＤの代わりに有機ＥＬやその他の種類の光源をモニタランプ２７〜２９として用いてもよい。
【００３６】
コントロールユニット２５は、ＬＥＤ１８、下部照射用光源３３、バッテリ２３、モニタランプ２７〜２９、点検スイッチ３０，３１と接続されている。コントロールユニット２５は、通常時は（電源端子台２２を介して）商用電源により駆動され、非常時はバッテリ２３により駆動される。そして、コントロールユニット２５は、ＬＥＤ１８、下部照射用光源３３、モニタランプ２７〜２９の点灯状態を制御する。また、コントロールユニット２５は、点検スイッチ３０，３１が操作されると、点検動作を実施する。コントロールユニット２５は、光源の点灯状態を制御する制御部の例である。
【００３７】
コントロールユニット２５は、モニタランプ２７〜２９を点灯又は点滅させる場合、下部照射用光源３３を減光又は消灯させてもよい。このようにすることで、点検動作中等、モニタランプ２７〜２９を確認する必要があるときに、下部照射用光源３３の光によりモニタランプ２７〜２９が見えにくくなるのを防ぐことができる。
【００３８】
本実施の形態によれば、表示部１３を照らす光源（ＬＥＤ１８）とは別の光源（下部照射用光源３３）で表示装置１０の下方の一定範囲を照らすことが可能となる。このように、表示部１３を照射する光源とは別に下方照射用の光源を設けることにより、個々の光源で別の点灯状態を実現可能としている。つまり、表示部１３を照射する光源とは別に下方照射用の光源を有しているので、表示部１３を照射する光源の動作モードと、下方照射用の光源の動作モードを分けることが可能となり、表示装置１０が取り付けられた場所の状況に応じた動作モードとすることが可能となる。
【００３９】
また、本実施の形態によれば、器具外郭にそれぞれの機能に対応した孔を設けるのではなく、内蔵する部品の構成に関わらず共通の孔部（開口部２６）を使用可能としている。つまり、内蔵する部品の構成に関わらず共通の孔部を設けたことにより、内蔵部品の構成に関わらず、共通の器具外郭（本体１１）とすることが可能となる。
【００４０】
以上説明したように、本実施の形態に係る表示装置１０は、所定の絵柄を表示する矩形の表示面（表示部１３）と、表示面を発光させるための光源（ＬＥＤ１８）と、上記光源を点灯させるための点灯装置（コントロールユニット２５）と、上記点灯装置に商用電源を接続するための端子台（電源端子台２２）と、点灯装置及び端子台を収納する本体１１とを有する。そして、表示装置１０は、本体１１の下面に表示装置１０の下方を照射するための光源（下部照射用光源３３）を上記光源（ＬＥＤ１８）とは別に設けたことを特徴とする。このように、下方照射用の光源を表示面用の光源とは別に設けているので、それぞれの光源の点灯状態を別個に制御することが可能となる。
【００４１】
実施の形態２．
本実施の形態について、主に実施の形態１との差異を説明する。
【００４２】
図７は、本実施の形態に係る表示装置１０の下面図である。
【００４３】
下部照射用光源３３と、モニタランプ２７〜２９が近接して設置された場合、下部照射用光源３３の出力が大きい場合に、眩惑によりモニタランプ２７〜２９の表示状態が見づらくなってしまう可能性がある。そこで、本実施の形態では、点検スイッチ３０，３１を下部照射用光源３３とモニタランプ２７〜２９の間に配置することにより、下部照射用光源３３と離れた位置に配置されたモニタランプ２７〜２９の表示状態を認識しやすくすることができる。
【００４４】
上記のように、本実施の形態では、点検スイッチ３０，３１が、モニタランプ２７〜２９と下部照射用光源３３との間に配置される。このようにすることで、点検動作中等、モニタランプ２７〜２９を確認する必要があるときに、下部照射用光源３３の光によりモニタランプ２７〜２９が見えにくくなるのを防ぐことができる。
【００４５】
以上説明したように、本実施の形態に係る表示装置１０は、商用電源の供給が断たれた場合に点灯装置に給電するための蓄電池（バッテリ２３）を本体１１に備える。表示装置１０は、蓄電池の状態を判別する機能を、表示装置１０の下面に備えられたスイッチ（点検スイッチ３０，３１）によって動作させ、判別結果を表示装置１０の下面に備えられたインジケータ（モニタランプ２７〜２９）によって表示する。そして、表示装置１０は、このインジケータと下方照射用の光源（下部照射用光源３３）の間に蓄電池の状態を判別する機能を動作させるスイッチを配置したことを特徴とする。
【００４６】
実施の形態３．
本実施の形態について、主に実施の形態１との差異を説明する。
【００４７】
図８は、本実施の形態に係る表示装置１０の下面図である。
【００４８】
下部照射用光源３３が、表示装置１０の下面の中心から左右いずれかに偏った位置に配置された場合、下部照射位置が表示装置１０の中心とずれてしまうため、例えば建物の出入口等の上部に設置された場合は出入口に対し、照射位置がずれてしまうか、設置位置を変更する必要が生じてしまう。本実施の形態では、表示装置１０の下面の中心（中央）に下部照射用光源３３を配置することで、表示装置１０の方向性をなくし、取り付けの際の利便性を向上させることが可能となる。
【００４９】
実施の形態４．
本実施の形態について、主に実施の形態１との差異を説明する。
【００５０】
図９は、本実施の形態に係る表示装置１０の点検スイッチ・下部照射用光源収納部２４の内部構造を示す図である。
【００５１】
図９に示すように、本実施の形態において、点検スイッチ・下部照射用光源収納部２４には、点検スイッチ・モニタランプ実装用基板３７と下部照射用光源実装用基板３８とに代えて、点検スイッチ・モニタランプ・下部照射用光源実装用基板３９が内蔵されている。点検スイッチ・モニタランプ・下部照射用光源実装用基板３９には、スイッチ部３０ａ，３１ａ、モニタランプ２７〜２９、下部照射用光源３３が実装される。
【００５２】
上記のように、実施の形態１では、基板が２枚となっているので、下部照射用光源３３が発した熱を放熱する面積が小さくなってしまうため、下部照射用光源３３の温度が上がってしまう可能性がある。また、２枚の基板に分かれているので、それぞれに対応した取付構造が必要になる。これに対し、本実施の形態では、スイッチ部３０ａ，３１ａ及びモニタランプ２７〜２９を実装する基板を、下部照射用光源３３を実装する基板と一体にしている。そのため、安価に部品を製造することが可能となる。また、基板面積が拡大することにより、下部照射用光源３３から発せられる熱を放熱する効果を高めることが可能となる。また、基板が１枚であるので、取付構造も簡易なものにすることができる。
【００５３】
実施の形態５．
本実施の形態について、主に実施の形態１との差異を説明する。
【００５４】
図１０は、本実施の形態に係る表示装置１０の本体１１の内部を示す図である。
【００５５】
本実施の形態では、コントロールユニット２５の筐体を点検スイッチ・下部照射用光源収納部２４として利用している。これにより、点検スイッチ・下部照射用光源収納部２４を別途設ける必要がなくなり、さらに簡単な構成とすることが可能となる。
【００５６】
実施の形態６．
本実施の形態について、主に実施の形態１との差異を説明する。
【００５７】
本実施の形態では、表示装置１０が誘導灯として使用されるものとする。また、コントロールユニット２５に対し、下部照射用光源３３の点灯動作パターンとして下記のパターンＡ〜Ｅを選択的に設定できるものとする。なお、コントロールユニット２５に対する設定は、例えば、本体１１の下面に操作ボタンを設置して操作ボタンにより行うようにしてもよいし、本体１１の下面にリモコン受光部を設置し、リモコン受光部を介してリモコンにより行うようにしてもよいし、他の手段を用いて行うようにしてもよい。
【００５８】
パターンＡにおいて、下部照射用光源３３は、通常時（商用電源により駆動される）は消灯し、非常時（バッテリ２３により駆動される）は点灯又は点滅する。パターンＡでは、非常時（停電時）に下部照射用光源３３が避難口を照らすことにより、より誘導効果を高めることができるというメリットがある。
【００５９】
パターンＢにおいて、下部照射用光源３３は、通常時は点灯し、非常時は点灯又は点滅する。パターンＢでは、パターンＡと同様のメリットに加え、周囲の照明の消灯時に常夜灯として機能できるというメリットがある。
【００６０】
パターンＣにおいて、下部照射用光源３３は、通常時は減光点灯し、非常時は全光点灯する。パターンＣでは、パターンＢと同様のメリットに加え、通常時の明るさを暗くすることにより、通常時の消費電力を抑えることができるというメリットがある。
【００６１】
パターンＤにおいて、下部照射用光源３３は、通常時は全光点灯し、非常時は減光点灯又は減光点滅する。パターンＤでは、パターンＢと同様のメリットに加え、周囲の明るさが突然暗くなった際の眩惑を防ぐことができるというメリットがある。また、消費電力量は暗い分だけ少なくなるので、非常時の点灯時間を長くすることができるというメリットもある。
【００６２】
パターンＥにおいて、下部照射用光源３３は、通常時は点灯し、非常時は消灯する。パターンＥでは、通常時に避難口を照らすことにより、学習効果が得られるというメリットがある。また、非常時に消灯することにより、バッテリ２３の電力を全て表示部１３の照明に費やすことが可能となるというメリットもある。
【００６３】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００６４】
１０  表示装置、１１  本体、１２  光源保持部、１３  表示部、１４  枠、１５  電源穴、１６  取付穴、１７  ＬＥＤ基板、１８  ＬＥＤ、１９  導光板、２０  電源穴、２１  取付穴、２２  電源端子台、２３  バッテリ、２４  点検スイッチ・下部照射用光源収納部、２５  コントロールユニット、２６  開口部、２７〜２９  モニタランプ、３０，３１  点検スイッチ、３０ａ，３１ａ  スイッチ部、３０ｂ，３１ｂ  ボタン部、３２  反射板、３３  下部照射用光源、３７  点検スイッチ・モニタランプ実装用基板、３８  下部照射用光源実装用基板、３９  点検スイッチ・モニタランプ・下部照射用光源実装用基板。
【図１】
0005725998.tif 000002
【図２】
0005725998.tif 000003
【図３】
0005725998.tif 000004
【図４】
0005725998.tif 000005
【図５】
0005725998.tif 000006
【図６】
0005725998.tif 000007
【図７】
0005725998.tif 000008
【図８】
0005725998.tif 000009
【図９】
0005725998.tif 000010
【図１０】
0005725998.tif 000011